(57)【要約】      （修正有）【課題】被治療者の治療を、遠隔で容易に行えるようにする。【解決手段】予め定める周期および大きさの振動エネルギーを付与した金属板と、治療器１と、その金属板をデジタルカメラで撮影したデジタル写真のデータを格納した記憶媒体３と、パーソナルコンピュータ２とからなり、記憶媒体をパーソナルコンピュータに装着すると、液晶画面２２に表示しておいたカルテ５２や人物写真５１で特定される被治療者５に作用し、被治療者を、遠隔で容易に治療することができる。【選択図】図１
2018191711.tif 000002
【特許請求の範囲】
【請求項１】
液晶画面を備える情報処理装置と、
前記情報処理装置に装着される記憶媒体とを含み、
前記情報処理装置には、前記液晶画面に表示される被治療者を特定するための情報または写真のデータが格納され、
前記記憶媒体には、予め定める周期および大きさの振動エネルギーが付与されている金属を写したデジタル写真のデータが格納されていることを特徴とする治療器。
【請求項２】
前記予め定める周期および大きさの振動エネルギーは、電圧１２Ｖ以上、２５０Ｖ以下、周波数２Ｈｚ以上、２００Ｈｚ以下の交流電圧に、周波数３５０Ｈｚ以上、３０ｋＨｚ以下の微弱信号成分を重畳し、さらに負の成分を取り出すことで得られることを特徴とする請求項１記載の治療器。
【請求項３】
前記予め定める周期および大きさの振動エネルギーは、１〜１００ＭＨｚのマイクロ波であることを特徴とする請求項１記載の治療器。
【請求項４】
前記記憶媒体は、ＳＤメモリカード（登録商標）またはＵＳＢメモリから成ることを特徴とする請求項１〜３の何れか１項に記載の治療器。
【請求項５】
前記情報処理装置は、パーソナルコンピュータ、スマートフォンまたは液晶式ディスプレイ板であることを特徴とする請求項１〜４の何れか１項に記載の治療器。
【請求項６】
前記液晶画面には１または複数の前記被治療者個々人を特定するためのカルテまたは人物写真が表示されることを特徴とする請求項１〜５の何れか１項に記載の治療器。
【発明の詳細な説明】
【技術分野】
【０００１】
本発明は、被治療者の血行改善などを図る治療器に関する。
【背景技術】
【０００２】
従来から、直接に人体にマイクロ波や電磁波などを照射して、血行の改善を図ったり、患部の治癒効果を高めたりする治療器が市販されている。しかしながら、効果が乏しかったり、人体の内部への効果が低い（浸透し難い）ので、本件発明者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子または中性子の振動によって量子（特にクォークやニュートリノ）を発生させ、患部に照射することで、前記患部の細胞を活性化している。
【０００４】
特許文献２では、その量子および遠赤外線を医療用シートに照射し、その医療用シートを人体に貼付けることで、同様の効果を得るようにしている。
【先行技術文献】
【特許文献】
【０００５】
【特許文献１】特許第５６８４４３４号公報
【特許文献２】特許第５６５７８４１号公報
【発明の概要】
【発明が解決しようとする課題】
【０００６】
上述の特許文献１，２は、実際の治療器やシートに触れている必要があり、長時間に亘り、効率良く治療を行うことができない。
【０００７】
本発明の目的は、遠隔で容易に治療を行うことができる治療器を提供することである。
【課題を解決するための手段】
【０００８】
本発明の治療器は、液晶画面を備える情報処理装置と、前記情報処理装置に装着される記憶媒体とを含み、前記情報処理装置には、前記液晶画面に表示される被治療者を特定するための情報または写真のデータが格納され、前記記憶媒体には、予め定める周期および大きさの振動エネルギーが付与されている金属を写したデジタル写真のデータが格納されていることを特徴とする治療器。
【０００９】
上記の構成によれば、被治療者の血行改善などを行う治療器において、本件発明者の実験によれば、パーソナルコンピュータやスマートフォンなどの液晶画面を有する情報処理装置に、予め定める周期および大きさの振動エネルギーが付与されている金属を写したデジタル写真のデータを格納しているＳＤメモリカード（登録商標）やＵＳＢメモリなどの記憶媒体を装着する一方、前記液晶画面に、１または複数の被治療者個々人を特定するためのカルテまたは人物写真のデータを格納しておくことで、被治療者には何らかのエネルギーが作用し、前記結構促進などの治療を行うことができる。
【００１０】
前記予め定める周期および大きさの振動エネルギーは、たとえば交流電源で発生された電圧１２Ｖ以上、２５０Ｖ以下、好ましくは１００Ｖで、周波数２Ｈｚ以上、２００Ｈｚ以下、好ましくは１００Ｈｚの交流電圧に、ＬＣ値が０．０３×１０-9〜２．０×１０-9のＬＣ並列共振回路にて、外部電磁波から誘導された、周波数３５０Ｈｚ以上、３０ｋＨｚ以下の微弱信号成分を重畳し、さらにダイオードなどの整流素子で負の成分を取り出すことで得られた成分、或いは１〜１００ＭＨｚのマイクロ波である。そして、その振動エネルギーが付与された金属をデジタルカメラで撮影し、データを記憶媒体に格納する。
【００１１】
次に、本件発明者の実験によれば、その記憶媒体を、前記パーソナルコンピュータやスマートフォンなどの情報処理装置に装着すると、付与されたエネルギーに起因する作用が、前記液晶画面に表示された人物写真やカルテの被治療者に生じる。前記液晶画面には、たとえば連続して、或いは被治療者が多い場合には周期的に、それらの被治療者のカルテまたは人物写真が表示される。こうして、被治療者を、遠隔で容易に治療することができる。また、専門的な医療知識が無くても、容易に実施することができる。
【発明の効果】
【００１２】
本発明の治療器は、以上のように、被治療者の治療を行うにあたって、パーソナルコンピュータなどの液晶画面を有する情報処理装置に、予め定める周期および大きさの振動エネルギーが付与されている金属を写したデジタル写真のデータを格納しているＳＤメモリカード（登録商標）などの記憶媒体を装着する一方、前記液晶画面に、被治療者個々人を特定するためのカルテや人物写真を表示するだけで、前記金属に付与されたエネルギーに起因する作用が被治療者に生じ、被治療者を、遠隔で容易に治療することができる。また、専門的な医療知識が無くても、容易に実施することができる。
【図面の簡単な説明】
【００１３】
【図１】本発明の実施の一形態に係る治療器の全体構成を示す図である。
【図２】記憶媒体の処理方法を示す斜視図である。
【図３】前記記憶媒体の処理を行うためのエネルギー発生器の模式的な電気回路図である。
【発明を実施するための形態】
【００１４】
図１は、本発明の実施の一形態に係る治療器１の全体構成を示す図である。本実施形態の治療器１は、情報処理装置であるパーソナルコンピュータ２に、ＳＤメモリカード（登録商標）などから成る記憶媒体３が装着されて構成される。さらに、パーソナルコンピュータ２には、１または複数の被治療者５の人物写真５１およびカルテ５２のデータが格納されており、後述するように、それらは液晶画面２２に表示される。
【００１５】
本実施形態の治療器１において、被治療者５の治療は、最終的に、液晶画面２２に表示された前記人物写真５１やカルテ５２によって特定される被治療者５に、後述する振動エネルギーに起因する作用が生じることで行われる。
【００１６】
被治療者５を特定するための液晶画面２２への表示は、人物写真５１とカルテ５２との何れか一方であってもよい。なお、人物写真は、本件発明者の実験によれば、印画紙などの一旦プリントした人物像を撮影したものではなく、被治療者５を直接デジタルカメラで撮影したものに限る。被治療者５の人物写真５１やカルテ５２は、被治療者５が多数の場合、周期的に、それらの被治療者５の人物写真５１やカルテ５２を表示するようにしてもよい。また、本実施形態の治療には、被治療者５を確認できればよいので、カルテ５２に代えて、氏名や生年月日を並べた一覧表などを用いてもよい。パーソナルコンピュータ２は、同様に液晶画面２２を備え、記憶媒体３が装着可能なタブレット端末等の液晶式ディスプレイ板や、スマートフォンなどであってもよい。
【００１７】
図２は、記憶媒体３の処理方法を示す斜視図である。この記憶媒体３の処理には、デジタルカメラ７と処理装置６とを用いる。処理装置６は、金属板６１と、エネルギー発生器６２と、それらの間を接続するケーブル６３とを備えて構成される。エネルギー発生器６２から金属板６１には、予め定める周期および大きさの振動エネルギーが付与されている。その状態で、記憶媒体３を装着したデジタルカメラ７が前記金属板６１を撮影し、写真のデータを記憶媒体３に格納することで、該記憶媒体３の処理を行うことができる。
【００１８】
図３は、エネルギー発生器６２の模式的な電気回路図である。エネルギー発生器６２は、交流電圧を発生する交流電源６４と、前記交流電圧に、外部電磁波から誘導された電圧を重畳するＬＣ並列共振回路６５と、前記重畳された電圧を整流して、負の成分を取出すダイオードなどの整流素子６６とを備えて構成される。交流電源６４は、可変周波数で交流を発生し、その周波数範囲は、２Ｈｚ以上、２００Ｈｚ以下であり、好ましくは１００Ｈｚである。また、交流電源６４の出力電圧は、１２Ｖ以上、２５０Ｖ以下、好ましくは１００Ｖである。ＬＣ並列共振回路６５は、前記外部電磁波から共振周波数成分を抽出する。そのＬＣ値は０．０３×１０-9〜２．０×１０-9、したがって共振周波数は、３５０Ｈｚ以上、３０ｋＨｚ以下である。そして、交流電源６４の交流電圧に、外部電磁波からＬＣ並列共振回路６５に誘導された電圧が重畳された電圧を整流素子６６で整流して、負の成分を金属板６１に与えることで、該金属板６１には、予め定める周期および大きさの振動エネルギーが付与される。なお、整流素子６６を設けずに、全波の成分を金属板６１に与えてもよいが、本件発明者の実験結果によれば、治療効果は大幅に減少してしまうので、負の成分だけを与えることが好ましい。また、前記予め定める周期および大きさの振動エネルギーとして、金属板６１には、１〜１００ＭＨｚのマイクロ波が与えられてもよい。
【００１９】
こうして処理された記憶媒体３をパーソナルコンピュータ２に装着すると、本件発明者の実験結果によれば、前記の振動エネルギーに起因する作用が、液晶画面２２に表示されている人物写真５１やカルテ５２によって特定される被治療者５に生じる。こうして、被治療者５を、遠隔で容易に治療することができる。また、専門的な医療知識が無くても、容易に実施することができる。
【００２０】
本件発明者の実験結果によれば、前記の治療を行うことで、たとえば血行を促進したり、患部の治癒効果を高めたりすることができる。しかも、前記予め定める周期に応じて、対象とする症状を、異ならせることができる。また、前記予め定める周期を、２〜２０００Ｈｚ、好ましくは２〜１００Ｈｚとすることで、血行改善効果を得ることができ、肩凝りやむくみが解消したり、傷口が早く治ったりするようになる。
【符号の説明】
【００２１】
１    治療器
２    パーソナルコンピュータ
２２    液晶画面
３    記憶媒体
５    被治療者
５１    人物写真
５２    カルテ
６    処理装置
６１    金属板
６２    エネルギー発生器
６３    ケーブル
６４    交流電源
６５    ＬＣ並列共振回路
６６    整流素子
【図１】
2018191711.tif 000003
【図２】
2018191711.tif 000004
【図３】
2018191711.tif 000005